(57)【要約】【課題】  煩雑となる継続的な測定を行わなくても、生活習慣病とその予防についてアドバイスすることができるようにする。【解決手段】  車両に搭載され、生活習慣病に関わる健康状態を測定し、その測定値のデータを出力する健康状態測定部１０と、記憶部３２、３３を有し、この記憶部３２、３３に健康状態から予測される生活習慣病およびその生活習慣病を予防するためのアドバイスのデータが記憶されており、記憶部３２、３３に記憶された前回および今回の測定値のデータに基づき、記憶部３２、３３に記憶された生活習慣病の中から予測される生活習慣病を選択し、その生活習慣病に対応した予防のためのアドバイスのデータを出力する制御部３０と、制御部３０からアドバイスのデータを入力して生活習慣病を予防するためのアドバイスを通知する報知部４０と、を有することを特徴とする。【選択図】        図１
2006247175.tif 000002
【特許請求の範囲】
【請求項１】
車両に搭載され、生活習慣病に関わる健康状態を測定し、その測定値のデータを出力する健康状態測定部（１０）と、
記憶部（３２、３３）を有し、この記憶部に前記健康状態から予測される生活習慣病およびその生活習慣病を予防するためのアドバイスのデータが記憶されており、前記健康状態測定部にて測定された前記測定値が前記記憶部に記憶されると共に、前記記憶部に前回記憶された測定値のデータと今回記憶された測定値のデータとに基づき、前記記憶部に記憶された生活習慣病の中から予測される生活習慣病を選択し、その生活習慣病に対応した予防のためのアドバイスのデータを出力する制御部（３０）と、
前記制御部から前記アドバイスのデータを入力して前記生活習慣病を予防するためのアドバイスを通知する報知部（４０）と、を有することを特徴とする車両用健康アドバイザー装置。
【請求項２】
前記制御部は、人が生命を保つ状態を示す適正な値の範囲内に前記測定値が含まれるか否かを判定する手段（１２０）と、前記測定値が前記適正な範囲内である場合、その測定値を有効測定値とし、前記記憶部に記憶された有効測定値を平均化した平均有効測定値を求める手段（１５０）と、前回取得した平均有効測定値と今回取得した平均有効測定値との値の推移に基づき、前記生活習慣病に関するアドバイスを選択して、前記報知部にて報知する手段（１６０）と、を有していることを特徴とする請求項１に記載の車両用健康アドバイザー装置。
【請求項３】
前記健康状態測定部は前記車両のステアリングに設置され、前記生活習慣病に関わる健康状態として、少なくとも体温、体脂肪率、心拍数のうちの１つを測定するようになっていることを特徴とする請求項１または２に記載の車両用健康アドバイザー装置。
【請求項４】
前記健康測定部は前記車両のシートに設置され、前記生活習慣病に関わる健康状態として体重に依存した物理量を測定するようになっていることを特徴とする請求項１ないし３のいずれか１つに記載の車両用健康アドバイザー装置。
【請求項５】
前記制御部には、運転免許証に記憶された電子キーが入力されるようになっており、前記記憶部には、前記電子キーに対応した記憶領域が作成されるようになっていることを特徴とする請求項１ないし４のいずれか１つに記載の車両用健康アドバイザー装置。
【発明の詳細な説明】
【技術分野】
【０００１】
本発明は、車両に搭載されると共に、搭乗者の健康状態を測定し、測定した健康状態に基づいて生活習慣病に関するアドバイスを行う車両用健康アドバイザー装置に関する。
【背景技術】
【０００２】
近年では、肥満、高血圧、糖尿病などの生活習慣病が蔓延しており、生活習慣病の予防に対するニーズが高まっている。生活習慣病を予防する第一歩として、生活習慣病と密接に関係する体温、体重、体脂肪率などを頻繁に測定し、その測定結果に基づいて生活を見直すことが必要である。
【発明の開示】
【発明が解決しようとする課題】
【０００３】
上述のように、上記生活習慣病に対処するためには、生活習慣病と密接に関係している体温、体脂肪率、心拍数などを頻繁に測定することが望ましい。しかしながら、これらの測定には時間がかかるばかりでなく、長期間に渡って頻繁に行わなければならない。しながって、健康状態を測定しようとする者にとってそのような継続的な測定は煩雑であると共に、困難である。
【０００４】
本発明は、上記点に鑑み、煩雑となる継続的な測定を行わなくても、生活習慣病とその予防についてアドバイスすることができるようにすることを目的とする。
【課題を解決するための手段】
【０００５】
本発明者らは、車両が長期間に渡って頻繁に利用され、さらに運転中ではドライバが長時間同じ姿勢でいるという点に着目した。具体的には、ドライバがステアリングを握ることで、体温、体脂肪率、心拍数を測定でき、ドライバがシートに座ることで体重を測定でき、さらに、測定結果をドライバ個々で管理することで、測定結果の推移からそのドライバが生活習慣病にどれだけ近いかを評価することができると考えられる。
【０００６】
したがって、上記目的を達成するため、請求項１に記載の発明では、車両に搭載され、生活習慣病に関わる健康状態を測定し、その測定値のデータを出力する健康状態測定部（１０）と、記憶部（３２、３３）を有し、この記憶部に健康状態から予測される生活習慣病およびその生活習慣病を予防するためのアドバイスのデータが記憶されており、健康状態測定部にて測定された測定値が記憶部に記憶されると共に、記憶部に前回記憶された測定値のデータと今回記憶された測定値のデータとに基づき、記憶部に記憶された生活習慣病の中から予測される生活習慣病を選択し、その生活習慣病に対応した予防のためのアドバイスのデータを出力する制御部（３０）と、制御部からアドバイスのデータを入力して生活習慣病を予防するためのアドバイスを通知する報知部（４０）と、を有することを特徴としている。
【０００７】
このように、生活習慣病に関する健康状態を測定し、その測定結果を記憶する。そして、記憶部に記憶された前回の測定値および今回の測定値に基づき、発病するであろう生活習慣病と、その予防のためのアドバイスを行う。これにより、長期間に渡って測定すべき健康状態を車両に搭乗する際に測定することができ、継続的に健康状態を測定する困難性を解決することができる。さらに、測定結果から搭乗者に生活習慣病の予防に関するアドバイスを促すことができる。
【０００８】
請求項２に記載の発明では、制御部は、人が生命を保つ状態を示す適正な値の範囲内に測定値が含まれるか否かを判定する手段（１２０）と、測定値が前記適正な範囲内である場合、その測定値を有効測定値とし、記憶部に記憶された有効測定値を平均化した平均有効測定値を求める手段（１５０）と、前回取得した平均有効測定値と今回取得した平均有効測定値との値の推移に基づき、生活習慣病に関するアドバイスを選択して、報知部にて報知する手段（１６０）と、を有していることを特徴としている。
【０００９】
このように、前回得た平均有効測定値と今回得た平均有効測定値との値の推移に基づいて、被験者がもっとも発病する可能性の高い生活習慣病を選択することができ、その予防のためのアドバイスを行うようにすることができる。
【００１０】
請求項３に記載の発明では、健康状態測定部は車両のステアリングに設置され、生活習慣病に関わる健康状態として、少なくとも体温、体脂肪率、心拍数のうちの１つを測定するようになっていることを特徴としている。
【００１１】
このように、健康状態として少なくとも体温、体脂肪率、心拍数のうち１つをステアリングに設置された健康状態測定部にて測定する。これにより、生活習慣病にかかりやすい病気をより特定させやすくすることができ、より詳しい予防のアドバイスを行える。また、ドライバはステアリングを握るだけで上記状態が測定されるため、測定の煩わしさを低減できる。
【００１２】
請求項４に記載の発明では、健康測定部は車両のシートに設置され、生活習慣病に関わる健康状態として体重に依存した物理量を測定するようになっていることを特徴としている。
【００１３】
このように、健康状態として体重に依存した物理量をシートに設置された健康状態測定部にて測定する。車両のシートにドライバが座る際には、シートに全体重がかかるわけではないので、体重に依存した物理量を測定する。これにより、体重の相対的な変化を求めるようにすることができる。したがって、より詳しい生活習慣病の特定やアドバイスを選択することができる。また、ドライバはシートに座っているだけで体重に依存した物理量を測定できるので、継続的に体重を測定するという煩わしさを低減できる。
【００１４】
請求項５に記載の発明では、制御部には、運転免許証に記憶された電子キーが入力されるようになっており、記憶部には、電子キーに対応した記憶領域が作成されるようになっていることを特徴としている。
【００１５】
このように、測定する者を運転免許証に記憶された電子キーで識別する。これにより、測定される者を特定でき、例えば前回の測定値に対する今回の測定値から健康状態の推移を求めることが容易にできる。
【００１６】
なお、上記各手段の括弧内の符号は、後述する実施形態に記載の具体的手段との対応関係を示すものである。
【発明を実施するための最良の形態】
【００１７】
（第１実施形態）
以下、本発明の第１実施形態について図を参照して説明する。本実施形態では、搭乗者として、ドライバの健康状態を測定し、ドライバに対して生活習慣病に関する情報の管理およびアドバイスを行う車両用健康アドバイザー装置について説明する。
【００１８】
図１は、本発明の一実施形態に係る車両用健康アドバイザー装置のブロック構成図である。図１に示されるように、車両用健康アドバイザー装置は、健康状態測定部１０と、電子キー認証部２０と、制御部３０と、報知部４０と、を備えて構成されている。
【００１９】
健康状態測定部１０は、体温測定部１１と、体脂肪率測定部１２と、心拍数測定部１３と、体重測定部１４と、を備えて構成されている。これらのうち、体重測定部１１、体脂肪測定部１２、心拍数測定部１３は、ステアリングに備えられ、体重測定部１４は、シートに備えられる。
【００２０】
体温測定部１１は、体温を測定するものである。このような体温測定部１１は、金属体（または半導体）と、この金属体の電気抵抗を測定するマイコンと、を備えて構成されている。この金属体が、ドライバがステアリングを握るであろう場所にステアリングから露出するように設置される。そして、金属体にドライバの手が接触すると、金属体の電気抵抗が変化する。したがって、マイコンにて金属の電気抵抗の変化が計測され、その電気抵抗が温度に換算される。こうして得られた体温のデータは体温測定部１１から出力される。
【００２１】
体脂肪率測定部１２は、体脂肪率を測定するものである。このような体脂肪率測定部１２は、２つの電極と、それぞれの電極間に電流を流して電流値を測定するマイコンと、を備えて構成されている。そして、ドライバがステアリングを握るであろう左右の手の場所にそれぞれ電極が露出するように設置され、これら電極を介してドライバの体に微弱電流が流される。体の中で電気は筋肉を通り、脂肪には電気が流れないことから、マイコンにて電極間の電気の流れにくさが計測され、その測定結果が体脂肪率に換算される。こうして得られた体脂肪率のデータは体脂肪測定部１２から出力される。
【００２２】
なお、体脂肪率を換算するために被験者の身長のデータが必要であるが、本実施形態では、この身長の情報は体脂肪率測定部１２のマイコンにあらかじめ入力されている。
【００２３】
心拍数測定部１３は、心拍数を測定するものである。このような心拍数測定部１３は、電気信号を検出する検出部と、この電気信号を心拍数に換算するマイコンと、を備えて構成されている。そして、ドライバがステアリングを握るであろう場所に検出部が設置され、検出部が手で握られる。一方、心臓が全身に血液を循環させるとき、心筋の興奮によって発生する電気（活動電流）が体の内部に流れる。したがって、検出部ではこの電気的変化が検出され、マイコンにて１分間の心拍数に換算される。こうして得られた心拍数のデータは心拍数測定部１３から出力される。
【００２４】
体重測定部１４は、体重を測定するものであり、例えばシートに設置されている。このような体重測定部１４は、周知の体重計を備えている。そして、ドライバがシートに座ると、ドライバの体重が測定され、測定された体重のデータが出力される。
【００２５】
なお、シートに座ったドライバは例えばブレーキペダルに足を乗せている場合があるため、体重計にドライバの全体重はかからず、全体重を測定することはできない。そこで、本実施形態でいう測定された体重とは体重に依存した物理量であると定義し、測定値を絶対的な数値として用いるのではなく、前回の乗車の際に測定された値との比較に用いる。
【００２６】
電子キー認証部２０は、運転免許証に記憶されたドライバ個々の電子キー（ＩＤ）を読み出すものである。この電子キー認証部２０は、例えば運転免許証を差し込む差し込み口が設けられたケースと、差し込まれた運転免許証のＩＤを読み取る読み取り装置と、を備えて構成されている。このような電子キー認証部２０に運転免許証が差し込まれると、そのＩＤのデータが読み取られて出力される。
【００２７】
制御部３０は、ドライバの健康状態を示すデータを管理し、それらのデータから生活習慣病を予防するための健康アドバイザー処理を行うものであり、ＣＰＵ３１、ＲＯＭ３２、ＲＡＭ３３の他、Ｉ／Ｏポート、Ａ／Ｄ変換器等（いずれも図示しない）を備えたマイクロコンピュータである。このような制御部３０には、健康状態測定部１０から体温、体脂肪率、心拍数、体重のデータがそれぞれ入力される。また、制御部３０には、イグニッションスイッチのオンまたはオフを示すイグニッション信号が入力される。
【００２８】
ＣＰＵ３１は、制御部３０に入力される体温、体脂肪率、心拍数、体重のデータに基づき、生活習慣病の予防に関するアドバイスを行う機能を有するものである。
【００２９】
ＲＯＭ３２は、測定された各データを保存するものであり、ＩＤに対応するフォルダが設けられている。また、ＲＯＭ３２には、測定したデータを管理するプログラムや、フォルダ内のデータに基づき生活習慣病を予防するアドバイスを行うプログラムが記憶されている。さらに、健康状態から予測される生活習慣病およびその生活習慣病を予防するためのアドバイスのデータが記憶されている。
【００３０】
ＲＡＭ３３は、制御部３０に入力される体温、体脂肪率、心拍数、体重のデータを一時的に保存するものであり、上記ＩＤに対応する仮フォルダが設けられている。ＲＡＭ３３の仮フォルダには、制御部３０に入力されたデータが随時記憶されていくが、仮フォルダに設定された記憶容量の限界に達すると、以前に仮フォルダに取り込まれたデータの中から順に古いデータが消去され、新しいデータに更新されていく。なお、ＲＯＭ３２、ＲＡＭ３３は、本発明の記憶部に相当する。
【００３１】
報知部４０は、上記制御部３０にて判定された生活習慣病の予防のためのアドバイスをドライバに知らせるものである。このような報知部４０に、例えば液晶ディスプレイやスピーカーが採用される。
【００３２】
以上が、本実施形態に係る車両用健康アドバイザー装置の構成である。
【００３３】
次に、ドライバの健康状態を測定し、その結果から生活習慣病の予防を行う健康アドバイザー処理について、図２を参照して説明する。図２は、健康アドバイザー処理の内容を示したフローチャートである。図２に示されるフローチャートは、図１に示される制御部３０のＲＯＭ３２に記憶されたプログラムをＣＰＵ３１が実行することによりなされるものである。また、フローチャートは、ＩＤが記憶された運転免許証が電子キー認識部３０に差し込まれた状態で、イグニッションスイッチがオン状態のイグニッション信号が制御部３０に入力されるとスタートする。
【００３４】
そして、ステップ１００では、ドライバ個々のフォルダが読み出される。具体的には、電子キー認識部３０にて運転免許証からドライバ個人のＩＤが読み出されて制御部３０のＣＰＵ３１に入力される。そして、ＣＰＵ３１にて電子キー認識部３０から入力されたＩＤと同じＩＤのフォルダがＲＯＭ３２から読み出される。つまり、シートに座ったドライバの健康状態を測定すると共に、その測定結果をドライバごとに保存するからである。
【００３５】
なお、ＲＯＭ３２に電子キー認識部３０から入力されたＩＤと同じＩＤ番号のフォルダがない場合、ＣＰＵ３１にて新たにそのＩＤに対応するフォルダがＲＯＭ３２に作成される。
【００３６】
ステップ１１０では、健康状態が測定される。すなわち、健康状態測定部１０の体温測定部１１にてドライバの体温が測定され、体脂肪率測定部１２にてドライバの体脂肪率が測定され、心拍数測定部１３にてドライバの心拍数が測定される。また、体重測定部１４にてドライバの体重が測定される。
【００３７】
ステップ１２０では、測定結果が有効な値か否かが判定される。有効な値とは、人が生命を保つ状態を示す適正な値を指し、体温であれば例えば３０℃以上４５℃以下、体脂肪率であれば例えば０％以上５０％以下、心拍数であれば例えば５０拍／分以上２００拍／分以下である。本ステップでは、健康状態測定部１０から各データがそれぞれ入力され、各データと各有効な値とが比較され、各データが有効な値の範囲内であるか否かが判定される。
【００３８】
そして、各データが有効な値の範囲外である場合、ドライバの健康状態が測定されていないとしてステップ１１０に戻り、再びドライバの各健康状態が測定される。一方、各データが有効な値の範囲内である場合、ステップ１３０に進む。
【００３９】
ステップ１３０では、各データがＲＡＭ３３の仮フォルダに保存される。すなわち、ステップ１１０で測定された各データが、有効測定値とされてＲＡＭ３３に設けられた仮フォルダに記憶される。なお、ＲＡＭ３３に電子キー認識部３０から入力されたＩＤと同じＩＤ番号の仮フォルダがない場合、ＣＰＵ３１にて新たにそのＩＤに対応する仮フォルダがＲＡＭ３３に作成される。
【００４０】
ステップ１４０では、イグニッションスイッチがオフの状態か否かが判定される。つまり、イグニッションスイッチから制御部３０に入力されるイグニッション信号がオフの状態を示す信号であるかが判定される。
【００４１】
本ステップで、イグニッションスイッチがオンの状態であると判定されるとステップ１１０に戻る。そして、イグニッションスイッチがオンの状態が維持され続ける限り、ステップ１１０〜１４０が繰り返し実行され、ドライバの健康状態が測定および仮フォルダに保存され続ける。
【００４２】
一方、ステップ１４０でイグニッションスイッチがオフの状態であると判定されると、ステップ１５０に進む。
【００４３】
ステップ１５０では、測定結果保存処理が実行される。まず、ＲＡＭ３３の仮フォルダに保存された有効測定値が平均化される。平均化された有効測定値を以下では平均有効測定値という。そして、その平均有効測定値を得た日にちと共に、平均有効測定値がＲＯＭ３２のフォルダに記憶される。
【００４４】
ステップ１６０では、アドバイス処理が実行される。具体的には、前回取得した平均有効測定値と今回取得した平均有効測定値との値を比較して、各平均有効測定値の変化が求められる。これにより、体温の推移、体脂肪率の推移、心拍数の推移、そして体重の相対的な推移が得られる。これらの推移が総合評価され、被験者であるドライバがどんな生活習慣病を患う可能性があるか、またその生活習慣病に対してどのような予防をしたら良いか、どの点に気を付けたら良いのかなどのアドバイスが、ＲＯＭ３２に記憶されたアドバイス集から選択される。
【００４５】
この後、制御部３０から選択されたアドバイスのデータが報知部４０に入力される。そして、そのアドバイスが液晶ディスプレイに画像表示されると共に、スピーカーから音声による解説がなされる。このアドバイスが終了すると、制御部３０に供給されていた電源が停止されて車両は完全に停止した状態になる。このようして健康アドバイザー処理は終了する。
【００４６】
以上、説明したように、本実施形態では、ドライバの健康状態（本実施形態では、体温、体脂肪率、心拍数、体重）を測定し、その測定結果を各ドライバに対応したフォルダに記憶する。そして、前回得た平均有効測定値と今回得た平均有効測定値との値の推移に基づいて、ドライバがもっとも発病する可能性の高い生活習慣病を選択する。これにより、ドライバがもっとも発病する可能性の高い生活習慣病を選択することができ、その予防のためのアドバイスを行うようにすることができる。さらに、長期間に渡って測定すべき健康状態を車両に搭乗する際にドライバの意志とは関係なく測定することができる。
【００４７】
また、生活習慣病にもっとも関係する体温、体脂肪率、心拍数、体重を測定している。これにより、生活習慣病にかかりやすい病気をより特定させやすくすることができ、より詳しい予防のアドバイスを行うことができる。
【００４８】
さらに、本実施形態では、ドライバを運転免許証に記憶された電子キーで識別する。これにより、ドライバを特定でき、例えば前回の測定値に対する今回の測定値から健康状態の推移を求めることが容易にできる。
【００４９】
（他の実施形態）
上記第１実施形態では、個々人のフォルダを識別する手段として、運転免許証に記憶されたＩＤを用いているが、個々人を認識する手段はこれに限るものではない。例えば、ドライバが車両に搭乗した際に、画像表示装置等を介して自分のフォルダを選択し、そのフォルダに健康状態を示すデータを保存するように設定することも可能である。
【００５０】
上記第１実施形態では、健康状態測定部１０に備えられた体温測定部１１、体脂肪率測定部１２、心拍数測定部１３は、それぞれにマイコンが備えられ、各部１１〜１３にて体温、体脂肪率、心拍数が求められ出力されるようになっている。しかしながら、各部１１〜１３にて体温、体脂肪率、心拍数を示す信号のみを検出し、それらの信号を制御部３０に入力して、制御部３０のＣＰＵ３１にて体温、体脂肪率、心拍数に換算するようにしても構わない。
【００５１】
上記第１実施形態では、ドライバにアドバイスする報知部４０に液晶ディスプレイやスピーカーを採用しているが、報知手段はこれに限るものではない。例えば表示方法としてヘッドアップディスプレイを採用しても構わない。
【００５２】
上記第１実施形態では、ドライバの体温、体脂肪率、心拍数、体重の４つのデータを同時に測定しているが、これらすべてのデータを同時に測定しなくても構わない。つまり、測定すべき健康状態のみを測定するようにしても良い。また、第１実施形態で測定した健康状態以外の状態も測定するようにしても構わない。例えば、血圧を測定するようにしても良い。
【００５３】
制御部３０に通信手段を設け、車両外部との通信を行えるようにしても良い。これにより、測定された体温、体脂肪率、心拍数、そして体重の変化のデータを例えばドライバが通院する病院に送信することができる。これにより、車両外で測定した健康状態の結果との比較を行うことができ、生活習慣病に係る総合的な判断が行えるようになる。
【００５４】
また、制御部３０にメモリスティック等の持ち運び可能な記憶媒体にＲＯＭ３２内のデータを書き込み、車両で測定した健康状態を示すデータを車両外に自由に持ち運べるようにしても良い。
【００５５】
なお、各図中に示したステップは、各種処理を実行する手段に対応するものである。
【図面の簡単な説明】
【００５６】
【図１】本発明の一実施形態に係る車両用健康アドバイザー装置のブロック構成図である。
【図２】健康アドバイザー処理の内容を示したフローチャートである。
【符号の説明】
【００５７】
１０…健康状態測定部、１１…体温測定部、１２…体脂肪測定部、
１３…心拍数測定部、１４…体重測定部、２０…電子キー認証部、
３０…制御部、３１…ＣＰＵ、３２…ＲＯＭ、３３…ＲＡＭ、４０…報知部。
【図１】
2006247175.tif 000003
【図２】
2006247175.tif 000004